(57)【特許請求の範囲】
【請求項１】
外筒と、
該外筒の内側に、該外筒の両端部側から接続すべき鋼管杭の端部をそれぞれ挿入しうる間隔をおいて、中途部に設けられた仕切壁により連結された内筒と、
前記外筒の、前記仕切り壁を挟む両側の筒体部に、周方向に所定間隔をおいて複数設けられた固定ピン挿入用の貫通孔と、
該貫通孔に対向する前記内筒の外周面に設けられた凹部と、
前記内筒内を横切って設けられ、前記各凹部の底壁を内側から受ける支持部とを具備することを特徴とする鋼管杭用継手。
【請求項２】
鋳造により一体に形成されてなる請求項１記載の鋼管杭用継手。
【請求項３】
球状黒鉛鋳鉄により一体に形成されてなる請求項２記載の鋼管杭用継手。
【請求項４】
前記外筒および内筒の少なくとも一方に、前記仕切壁を挟む両側の筒体部方向に伸びる透孔が形成されていることを特徴とする請求項１〜３いずれか１項記載の鋼管杭用継手。
【請求項５】
前記貫通孔が、前記外筒の、前記仕切り壁を挟む両側の筒体部に、周方向に等間隔をおいて各４個ずつ設けられ、
前記支持部が、前記内筒に断面十字状に設けられていることを特徴とする請求項１〜４いずれか１項記載の鋼管杭用継手。
【請求項６】
前記支持体の壁面に鋳抜き孔が形成されていることを特徴とする請求項１〜５いずれか１項記載の鋼管杭用継手。
【請求項７】
樹脂材料により、前記貫通孔を除く、請求項１〜６いずれか１項に記載の鋼管杭用継手を前記仕切壁の中間部位で横切断した形状の半割型を２つ、前記仕切壁に相当する部位を突き合わせて接着して消失型を形成し、
該消失型を鋳砂内に埋没させ、消失型に相当する部位に溶湯を注湯し、消失型を消失させることにより、消失型形状の鋳造品を形成し、
該鋳造品の所要部位に前記貫通孔を形成することを特徴とする鋼管杭用継手の製造方法。
【請求項８】
請求項１〜６いずれか１項記載の鋼管杭用継手の両側から、前記外筒と内筒との間に接続すべき鋼管杭の端部をそれぞれ挿入し、
該鋼管杭用継手の前記貫通孔に前記固定ピンを挿入し、
該固定ピンを外側から押圧して固定ピンを前記貫通孔内に該貫通孔の縁部よりさらに内側に押入すると共に、前記固定ピンにより前記鋼管杭を変形させて前記内筒外周面に設けた凹部内に膨出させ、
前記貫通孔縁部をかしめて前記固定ピンを固定することを特徴とする鋼管杭の連結方法。
【請求項９】
前記鋼管杭を前記凹部内底面に当接するまで膨出させることを特徴とする請求項８記載の鋼管杭の連結方法。
【請求項１０】
前記鋼管杭を前記仕切壁に当接するまで挿入することを特徴とする請求項８または９記載の鋼管杭の連結方法。
【請求項１１】
油圧シリンダを備えたかしめ治具により前記固定ピンを押圧することを特徴とする請求項８〜１０いずれか１項記載の鋼管杭の連結方法。
【発明の詳細な説明】
【技術分野】
【０００１】
本発明は鋼管杭用継手、鋼管杭用継手の製造方法、および鋼管杭の連結方法に関する。
【背景技術】
【０００２】
軟弱地盤の補強方法に、鋼管杭を軸線を中心として回転させながら複数本地盤に打ち込む工法がある。地盤に打ち込む鋼管杭は、最大２０ｍほどの長さのものとなるので、通常、５〜６ｍ程度の長さの鋼管杭をその都度継ぎ足しながら打ち込むようにしている。
鋼管杭を継ぎ足す場合には、従来、溶接によって行うようにしていたが、作業現場にて軸線を一致させながら行う溶接は容易でなく、熟練を必要としていた。また雨などの悪天候の場合には溶接作業ができないという問題があった。
【０００３】
そこで、昨今では、機械的な継手を介して、鋼管杭を連結する方法が開発されている（特許文献１）。
特許文献１に記載された継手は、外筒の内部に内筒が位置する鋳鋼製の二重筒によって構成され、外筒には筒の中心軸に向けたネジ孔が形成され、内筒にはネジ孔に対応する位置に受け溝が形成されているものである。外筒と内筒とは、内筒の外周面中途部にリング状の連結棚板を介して連結される。この連結には、例えば、外筒から連結ピンを連結棚板に圧入するなどして連結される。
２つの鋼管杭を連結するには、継手の両側から鋼管杭の端部を挿入し、ネジ孔にボルトをねじ込み、ボルトにより鋼管杭を押圧して変形させ、鋼管杭を受け溝内に膨出させることによって、抜け止め、かつ回り止めして、両鋼管杭を連結するようにしている。
【先行技術文献】
【特許文献】
【０００４】
【特許文献１】特開２００８−２０２６３６号公報
【発明の概要】
【発明が解決しようとする課題】
【０００５】
地盤補強用の鋼管杭は、専用打ち込み機械により、軸線を中心として回転させながら地盤に進入させるようにしている。したがって、鋼管杭の連結は、強固に連結されねばならない。
特許文献１に示される継手は、上記のように、ボルトをねじ込むことによって鋼管杭を受け溝内に膨出させるようにしている。しかしながら、ボルトの推進力によって鋼管杭を変形させるのは極めて大変で、多大な力を必要としている。ときには、力不足により鋼管杭を十分には変形させられず、鋼管杭の受け溝内への膨出が不十分で、鋼管杭の連結が不完全となる不具合があった。特に、昨今では、近隣諸外国から鋼管杭が輸入される場合が多いが、輸入品の鋼管杭は一般的に厚さが厚く、容易に変形させられないという事情もある。
【０００６】
鋼管杭の膨出が不十分であると、逆にボルトが緩みやすく、ますます両鋼管杭の連結が不十分となり、回転が良好に伝達されないとか、折れやすくなるとかの不具合が生じる。
また、場合によっては、ボルトからの押圧力によって内筒自体が内側に変形して逃げることによって、鋼管杭の変形、膨出が不十分になることもある。
さらに、ボルト頭が外筒の外表面から突出していることから、掘削孔の内壁を掻き崩し、鋼管杭による地盤の補強が不十分となりやすいという課題もある。
また、継手自体でみても、外筒と内筒との連結をピン等を介して行わなければならず、その製造が厄介であるという課題がある。
【０００７】
本発明は上記課題を解決すべくなされたものであり、その目的とするところは、鋼管杭の連結を確実、容易に行える鋼管杭用継手、その鋼管杭用継手の製造方法、および鋼管杭の連結方法を提供することにある。
【課題を解決するための手段】
【０００８】
上記の目的を達成するため、本発明は次の構成を備える。
すなわち、本発明に係る鋼管杭用継手は、外筒と、該外筒の内側に、該外筒の両端部側から接続すべき鋼管杭の端部をそれぞれ挿入しうる間隔をおいて、中途部に設けられた仕切壁により連結された内筒と、前記外筒の、前記仕切り壁を挟む両側の筒体部に、周方向に所定間隔をおいて複数設けられた固定ピン挿入用の貫通孔と、該貫通孔に対向する前記内筒の外周面に設けられた凹部と、前記内筒内を横切って設けられ、前記各凹部の底壁を内側から受ける支持部とを具備することを特徴とする。
【０００９】
継手を鋳造により一体に形成することができる。
球状黒鉛鋳鉄により一体に形成すると好適である。
前記外筒および内筒の少なくとも一方に、前記仕切壁を挟む両側の筒体部方向に伸びる透孔を形成するようにしてもよい。
前記貫通孔を、前記外筒の、前記仕切り壁を挟む両側の筒体部に、周方向に等間隔をおいて各４個ずつ設け、前記支持部を、前記内筒に断面十字状に設けるようにすることができる。
また、前記支持体の壁面に鋳抜き孔を形成するようにしてもよい。
【００１０】
また、本発明に係る鋼管杭用継手の製造方法は、樹脂材料により、前記貫通孔を除く、上記記載の鋼管杭用継手を前記仕切壁の中間部位で横切断した形状の半割型を２つ、前記仕切壁に相当する部位を突き合わせて接着して消失型を形成し、該消失型を鋳砂内に埋没させ、消失型に相当する部位に溶湯を注湯し、消失型を消失させることにより、消失型形状の鋳造品を形成し、該鋳造品の所要部位に前記貫通孔を形成することを特徴とする。
【００１１】
また、本発明に係る鋼管杭の連結方法は、上記いずれかの鋼管杭用継手の両側から、前記外筒と内筒との間に接続すべき鋼管杭の端部をそれぞれ挿入し、該鋼管杭用継手の前記貫通孔に前記固定ピンを挿入し、該固定ピンを外側から押圧して固定ピンを前記貫通孔内に該貫通孔の縁部よりさらに内側に押入すると共に、前記固定ピンにより前記鋼管杭を変形させて前記内筒外周面に設けた凹部内に膨出させ、前記貫通孔縁部をかしめて前記固定ピンを固定することを特徴とする。
前記鋼管杭を前記凹部内底面に当接するまで膨出させるようにするとよい。
また、前記鋼管杭を前記仕切壁に当接するまで挿入する。
また、油圧シリンダを備えたかしめ治具により前記固定ピンを押圧するようにすると好適である。
【発明の効果】
【００１２】
本発明によれば、鋼管杭の連結を確実、容易に行える。また鋼管杭用継手を容易に製造できる。
【図面の簡単な説明】
【００１３】
【図１】継手の横断面図である。
【図２】継手の支持体の部位での縦断面図である。
【図３】継手を一方の鋼管杭に取り付けた状態の断面図である。
【図４】消失型の断面図である。
【図５】かしめ治具の説明図である。
【図６】かしめ治具本体部の縦断面図である。
【図７】かしめ治具本体部の横断面図である。
【図８】かしめ治具本体部を継手に取り付けた状態を示す断面図である。
【図９】かしめ治具を継手に取り付けた状態を示す斜視断面図である。
【図１０】かしめ治具により鋼管杭を変形させた状態を示す断面図である。
【図１１】図１０の平面説明図である。
【図１２】透孔を外筒にのみ設け、仕切部を全周に亘って設けた継手の横断面図である。
【発明を実施するための形態】
【００１４】
以下本発明の実施の形態を添付図面に基づき詳細に説明する。
図１は鋼管杭用継手（以下単に継手ということがある）１０の横断面図、図２はその縦断面図、図３は、継手１０を一方の鋼管杭端部に装着した状態を示す縦断面図である。
継手１０は外筒１２と、この外筒１２の内側に、外筒１２の両端部側から接続すべき鋼管杭１４の端部をそれぞれ挿入しうる間隔（空間部）１５をおいて、中途部に設けられた仕切壁１６により連結された内筒１８との二重筒状をなす。
【００１５】
外筒１２の、仕切り壁１６を挟む両側の筒体部１２ａ、１２ｂに、固定ピン２２挿入用の貫通孔２０ａ、２０ｂ、２０ｃ、２０ｄ、および貫通孔２０ｅ、２０ｆが周方向に所定間隔をおいてそれぞれ複数（本実施の形態では４個づつ）設けられている（筒体部１２ｂには２個のみ図示）。各貫通孔２０は、継手１０の中心方向に向けて設けられる。
各貫通孔に対向する内筒１８の外周面には凹部２１が設けられている。なお、筒体部１２ａ、１２ｂの軸方向に一致する位置の貫通孔に対応する凹部は図２や図３に示されるように、軸線方向に伸びる共通の凹部２１に形成されている。
なお、貫通孔２０は筒体部１２ａ、１２ｂに各４個ずつとは限らず、６個ずつあるいは８個ずつなどの偶数個ずつ設けるようにすればよい。
【００１６】
２４は支持部であり、内筒１８内を横切って十字状に設けられ、各凹部２１の底壁を内側から受けている。支持部２４は、断面十字状をなす板状をなすものであり、その中央部には、図２、図３に示すように、継手１０の軽量化を図るために鋳抜き孔２６が形成されている。なお、支持部２４の内筒１８に接続する部位の内筒１８の部位は肉厚に形成され、この肉厚部に凹部２１が形成されている。
貫通孔２０が筒体部１２ａ、１２ｂに６個ずつ設けられるときは、支持部２４は６枚の板状体が６０°ずつの角度で交差する形態に設けられ、貫通孔２０が８個ずつ設けられるときは、支持部２４は８枚の板状体が４５°ずつの角度で交差する形態に設けられる。したがって、いずれの場合も、１８０°反対側に位置する凹部２１の底部は、直径方向に横切る板状体によって受けられることになる。
【００１７】
また本実施の形態では、外筒１２および内筒１８に、仕切壁１６を挟む両側の筒体部方向に伸びる透孔（窓部）２８が形成されている。これにより、継手１０のさらなる軽量化を図ることができる。また、透孔２８から、間隔１５内に挿入された鋼管杭１４の状態を外部から目視することができる。なお、透孔２８は、軽量化のために、外筒１２と内筒１８の一方にのみ設けるのであってもよい。
本実施の形態における継手１０は上記のように構成されている。
【００１８】
継手１０は、次に説明するように鋳造品で、仕切部１６や支持部２４を含めて一体に形成されている。
本実施の形態では、図４に示すような、発泡スチロールのような樹脂材料による消失型３０を用いて、継手１０を一体に鋳造する。
消失型３０は、貫通孔を除いて、継手１０と同一構造をなす型であり、継手１０と同一の部分は同一の符号を用いている。
消失型３０は、その外筒１２および内筒１８の中途部に透孔２８を有し、内筒１８の外周面に凹部２１を有し、また、支持体２４の板状体の部位に鋳抜き孔２６を有しているので、軸線方向に移動する成形型では一体成形できない。
【００１９】
そこで、本実施の形態では、まず、図４にＸおよびＹで示す半割型を形成する。
半割型Ｘ、Ｙは、貫通孔２０を除く、上記記載の継手１０を仕切壁１６の中間部位で横切断した形状をなす。これにより、透孔２８、凹部２１および鋳抜き孔２６は、軸線方向に２つ割りされ、切断面に開口することとなるから、軸線方向にのみ型割り可能な図示しない成形型により成形することが可能となることが理解されよう。
半割型Ｘ、Ｙは異なる構造のものとすることもできるが、共に同一構造のものとすることにより共通の成形型で成形できるので好ましい。
【００２０】
上記半割型Ｘ、Ｙを、仕切壁１６に相当する部位を突き合わせて接着することによって消失型３０を形成することができる。
この消失型３０を鋳砂内に埋没させ、この消失型３０の部位に溶湯を注湯し、消失型３０を消失させることにより、消失型３０と同一形状の鋳造品を得ることができる。材料は球状黒鉛鋳鉄を用いると好適である。
得られた鋳造品にショットブラストをかけて、消失型の残存滓を除去し、次いで外筒１２に貫通孔２０を形成することによって継手１０を形成することができる。
本実施の形態では、上記のような消失型３０を用いることによって、一体構造の、かつ軽量の継手１０を容易に製造することができる。
【００２１】
次に、図５〜図１１により、かしめ治具を用いて、鋼管杭１４を連結する工法について説明する。
まずかしめ治具３２について図５〜図７により説明する。
かしめ治具３２は、平面形状がほぼＵ字状をなす本体部３４と、この本体部３４に着脱自在に設けられるアクチュエータ３６とを有する。
本体部３４は、継手１０の外筒１２を覆うようにして外筒１２に装着可能、かつ外筒１２の軸線と直交する方向に移動可能となっている。本体部３４の側壁の上縁および下縁に内方に突出するフランジ部３７、３８が形成されていて、フランジ部３７が外筒１２の上端面に当接して、かしめ治具３４の下方（軸線方向）への落下（移動）を防止すると共に、軸線方向と直交する方向への本体部３４の移動をガイドするようになっている。
【００２２】
また本体部３４のＵ字部の内壁に、対応する外筒１２の貫通孔２０に挿入した固定ピン２２に当接すると共に、該貫通孔２０の縁部をかしめることのできるかしめ爪３９を有する当接部４０が形成されている。かしめ爪３９は、貫通孔２０の縁部を貫通孔２０方向に押し出して固定ピン２２を外筒１２に固定することができるようになっている。また、当接部４０の先端部には、固定ピン２２の端部に設けた凹部２２ａに進入する突部４１が設けられている。この突部４１が凹部２２ａに進入することにより、当接部４０により正確に固定ピン２２を貫通孔２０の軸線方向に押圧することができるようになっている。当接部４０は、本体部３４のＵ字部を貫通するピン４３により本体部３４のＵ字部内壁に位置するように固定されている。
【００２３】
図６に示すように、本体部３４の側壁部に、該側壁部の長手方向に伸びるスリット４２が形成されている。このスリット４２は、本体部３４が外筒１２の軸線と直交する方向に移動する際、他の貫通孔２０に挿入した固定ピン２２に移動を妨げられないように、固定ピン２２を通過可能にしている。
また、本体部３４のＵ字の解放端側に、アクチュエータ部３６を着脱可能に係止する係止部４４が設けられている。係止部４４は、本体部３４のＵ字の両端側に、アクチュエータ部３６を上方から抜き差し可能なフック形状に形成されている。
【００２４】
アクチュエータ部３６は、本体部３４の係止部４４に進入して係止部４４に係止する取付部４５が端部に形成された固定部４６を有する。固定部４６には油圧シリンダ４７が設けられ、該油圧シリンダ４７のロッド４８の端部に押圧部５０が形成されている。この押圧部５０は、アクチュエータ部３６が本体部３４に装着された際、本体部３４の当接部４０と反対側に位置し、油圧シリンダ４７が作動されてロッド４８が突出すると、該反対側に位置する貫通孔２０に挿入した固定ピン２２に当接する。押圧部５０には、該貫通孔２０の縁部をかしめることのできるかしめ爪５１が形成されている。かしめ爪５１は、貫通孔２０の縁部を貫通孔２０方向に押し出して固定ピン２２を外筒１２に固定することができるようになっている。また、押圧部５０の先端部には、固定ピン２２の端部に設けた凹部２２ａに進入する突部５２が設けられている。この突部５２が凹部２２ａに進入することにより、押圧部５０により正確に固定ピン２２を貫通孔２０の軸線方向に押圧することができるようになっている。
【００２５】
続いて、図８〜図１１により、鋼管杭１４を連結する工法について説明する。
地盤を補強する際、まず先端に掘削ビットが取り付けられた最初の鋼管杭１４を専用打ち込み機械（図示せず）により回転させながら地盤に打ち込んでいく。最初の鋼管杭１４の後端部が地盤上に所定長さ突出する位置まで最初の鋼管杭１４を打ち込んだところで打ち込みを停止する。
次いで、この最初の鋼管杭１４の上端部に、該上端部が継手１０の空間部１５に進入するように継手１０を取り付ける（図８）。継手１０の仕切部１６が鋼管杭１４の端面に当接して、継手１０が安定して鋼管杭１４の端部に取り付けられる。
【００２６】
次に、連結する鋼管杭１４をクレーン（図示せず）等で吊り上げ、軸線を最初の鋼管杭１４に一致させて、鋼管杭１４の先端部を継手１０の空間部１５に進入させる（図８）。鋼管杭１４の先端面が仕切部１６に当接する。この状態を透孔（窓部）２８から目視により確認できる。
次いで、各貫通孔２０に固定ピン２２を挿入する。そして、図８に示すように、かしめ治具３２の本体部３４をそのＵ字の開口部側に継手１０を進入させるようにして、継手１０の外筒１２を覆うように継手１０に装着する。その際、本体部３４に設けたフランジ部３７の下面が継手１０の外筒１２の上端面に沿うようにして本体部３４を移動させるようにする。これにより容易に本体部３４を継手１０上に装着できる。
【００２７】
次いで、図９に示すように、アクチュエータ部３６を、取付部４５を本体部３４の係止部４４内に進入させるようにして、本体部３４に取り付ける。次に、当接部４０の突部４１、および押圧部５０の突部５２が対応する固定ピン２２の凹部２２ａに一致するように、かしめ治具３２を継手１０の軸線を中心として回動させる。このように、かしめ治具３２を継手１０に対して位置合わせした後、図示しない油圧ポンプを作動させて油圧シリンダ４７を作動させ、ロッド４８を突出させる。これにより、押圧部５０が固定ピン２２に当接して固定ピン２２を押圧し、またその反力によりかしめ治具３２が自走して当接部４０が対応する固定ピン２２に当接して押圧する。なお、当接部４０の突部４１、および押圧部５０の突部５２が対応する固定ピン２２の凹部２２ａに進入することから、かしめ治具３２が自動的に固定ピン２２に対して位置合わせされることになるとも言える。
【００２８】
これにより、図１０に示すように、各固定ピン２２が凹部２１内に向けて強力に押し込まれ、その先端部で鋼管杭１４を押し、鋼管杭１４の部位を凹部２１内に膨出するように変形させ、その膨出部が凹部２１の内底面に当接するまで押圧する。このように、油圧シリンダで固定ピン２２を押圧することから、従来のようにボルトをねじ込むのに比して強力な力で固定ピンを直接押圧することができ、膨出部が確実に凹部２１内底面に当接するまで変形させることができ、両鋼管杭１４を確実に連結できる。また、凹部２１の底壁は支持部２４で受けられていることから、内筒１８自体が変形してしまうこともなく、これにより、確実に鋼管杭１４を変形させることができるのである。
【００２９】
また、固定ピン２２は、当接部４０の突部４１および押圧部５０の突部５２により、固定ピン２２の端部が貫通孔２０内に１ｍｍほど突入（埋没）するように押し込まれる。またそのように固定ピン２２の長さが設定されている。そして、当接部４０および押圧部５０にはそれぞれかしめ爪３９、５１が設けられていて、固定ピン２２が貫通孔２０内に入り込んだ（埋没した）際、かしめ爪３９、５１により貫通孔２０の縁部を押圧し、縁部を貫通孔２０方向に押し出す、いわゆるかしめを行うことから、固定ピン２２の抜け止めが行える。
【００３０】
図１０、図１１に示すように、対応する４個（筒体部１２ａ側の２個および筒体部１２ｂ側の２個）の固定ピン２２を同時に押圧、固定した後、油圧シリンダ４７による押圧を解除する。そして、他の４個（筒体部１２ａ側の他の２個および筒体部１２ｂ側の他の２個）の貫通孔２０に他の固定ピン２２を挿入する。かしめ治具３２の本体部３４の側壁部にはスリット４２が形成されていることから、このスリット４２に他の貫通孔２０が露出しているので、かしめ治具３２を継手１０から取り外さなくとも、このスリット４２を通じて他の固定ピン２２を他の貫通孔２０に挿入できる。このとき、各固定ピン２２は継手１０の外筒１２から突出している状況である。
なお、８本の固定ピン２２を当初から対応する貫通孔２０内に挿入しておくようにしてもよい。
【００３１】
次いで、かしめ治具３２を継手１０を中心に９０°回転させ、当接部４０と押圧部５０が他の固定ピン２２に対向位置するようにする。このとき他の固定ピン２２は継手１０の外筒１２の外周面から突出している状態であるが、スリット４２が存在することから、かしめ治具３２の回転が妨げられることはない。
この状態で再度油圧シリンダ４７を作動させ、上記と同様にして他の４個の固定ピン２２を押圧して、鋼管杭１４の部位を変形させ、鋼管杭１４の固定を行うようにする。そして、油圧シリンダ４７を停止し、アクチュエータ３６を本体部３４から取り外し、本体部３４を継手１０上から取り外して、鋼管杭１４の連結を終了する。
なお、貫通孔２０が６個ずつ設けられるときは、かしめ治具３２を６０°ずつ回転させ、貫通孔２０が８個ずつ設けられるときは、かしめ治具３２を４５°ずつ回転させて、全ての固定ピン２２を押圧、固定するようにすることはもちろんである。
以後の鋼管杭１４の連結工程も上記と同様にして行える。
【００３２】
図１０に示すように、鋼管杭１４は、固定ピン２２と、凹部２１の縁部である鍔部２１ａとによって断面Ｚ字状に変形させられることから、空間部１５からの抜け止め、および回り止めがなされる。
固定ピン２２の抜け止めは上記のように貫通孔２０の縁部をかしめることによって行うが、鋼管杭１４に継手１０に対して回転する方向に外力が作用すると、固定ピン２２には鋼管杭１４の回転方向とは反対の方向への力が作用し、固定ピン２２は貫通孔２０内において多少とも傾斜し、そのエッジ部が貫通孔２０内壁に食い込み、これにより固定ピン２２のさらなる抜け止めがなされる。また、鋼管杭１４に貫通孔２０から抜ける方向に外力が作用すると、これによっても固定ピン２２にはそれと反対方向の力が作用し、やはりそのエッジ部が貫通孔２０の内壁に食い込み、さらなる抜け止めがなされる。
【００３３】
あるいは、固定ピン２２を、当接部４０や押圧部５０からの押圧力によって固定ピン２２が径方向に若干膨らむ材質のもので形成し、貫通孔２０内で膨らむことによって、貫通孔２０との摩擦力を増大させたり、エッジ部を貫通孔２０内壁に食い込ませるようにして、さらなる抜け止めをするようにしてもよい。
本実施の形態では、固定ピン２２が外筒１２の外周面から突出していないので、鋼管杭１４を回転させつつ地盤に打ち込む際、従来のように掘削孔の内壁を掻き崩すことがなく、鋼管杭により地盤の補強を確実に行える。また、透孔２８から鋼管杭１４の状態を目視できるので、連結作業を確実に行うことができる。
【００３４】
なお、図１〜３、および図５〜図１１において、外筒１２、内筒１８、支持部２４、本体部３４、係止部４４の各部材の紙面の手前側半分と奥側の半分におけるハッチングはその方向が逆方向になっているが、これら各部材は別体ではなく一体のものである。
【００３５】
前記のように、透孔２８を設ける場合、透孔２８は外筒１２と内筒１８の少なくとも一方に設ければよい。
図１２に示す継手１０は、透孔２８を外筒１２にのみ設けた例である。また、仕切部１６は、外筒１２と内筒１８の間に全周に亘って存在するようにしている。この場合、仕切部１６の透孔２８に対応する部位は、内筒１８の外周壁に片持ち支持されている。また、仕切部１６の凹部２１に対応する部位は、外筒１２の内周壁に片持ち支持されている。継手１０により鋼管杭１４を接続した際、鋼管杭１４の端面は前記のように仕切部１６に当接する。仕切部１６を全周に亘って設けることにより、鋼管杭１４に係る荷重を仕切部１６によって良好に受け止めることができる。
【符号の説明】
【００３６】
１０  継手、１２  外筒、１４  鋼管杭、１５  空間部、１６  仕切部、１８  内筒、２０  貫通孔、２１  凹部、２２  固定ピン、２４  支持部、２６  鋳抜き孔、２８  透孔、３０  消失型、３２  かしめ治具、３４  本体部、３６  アクチュエータ部、３７  ３８  フランジ部、３９  かしめ爪、４０  当接部、４１  突部、４２  スリット、４３  ピン、４４  係止部、４５  取付部、４６  固定部、４７  油圧シリンダ、４８  ロッド、５０  押圧部、５１  かしめ爪、５２  突部
【要約】
【課題】鋼管杭の連結を確実、容易に行える鋼管杭用継手を提供する。
【解決手段】外筒１２と、外筒１２の内側に、外筒１２の両端部側から接続すべき鋼管杭１４の端部をそれぞれ挿入しうる間隔をおいて、中途部に設けられた仕切壁１６により連結された内筒１８と、外筒１２の、仕切壁１６を挟む両側の筒体部に、周方向に所定間隔をおいて複数設けられた固定ピン２２挿入用の貫通孔２０と、貫通孔２０に対向する内筒１８の外周面に設けられた凹部２１と、内筒１８内を横切って設けられ、各凹部２１の底壁を内側から受ける支持部２４とを具備することを特徴とする。
【選択図】図２【図１】
0005383938.tif 000002
【図２】
0005383938.tif 000003
【図３】
0005383938.tif 000004
【図４】
0005383938.tif 000005
【図５】
0005383938.tif 000006
【図６】
0005383938.tif 000007
【図７】
0005383938.tif 000008
【図８】
0005383938.tif 000009
【図９】
0005383938.tif 000010
【図１０】
0005383938.tif 000011
【図１１】
0005383938.tif 000012
【図１２】
0005383938.tif 000013